(57)【要約】  液体分配装置３００は、計量分配のために貯蔵容器３２０と容器に取り付けられたドームポンプ機構５００、６００とを含む。計量のために液体を貯蔵容器からドーム５０８、６０８に引き入れるために一方向バルブ５０８、６１２が利用される。流出経路５０６、６０６は排出バルブとして作用する。ドームポンプハウジングが押される度、実質的に均等な量の流体が容器から分配される。偶発的な分配を防ぐために、ドームポンプ内の一方向バルブは通常開放を保ち密封せず、ドームに圧力が加えられた場合、貯蔵容器へ液体が逆流する。分配の際流出経路から液体を押し出すよう一方向バルブを閉じるため、使用者はドーム及びベースプレートを共に圧縮する。ドームポンプは流出経路の上部と一体的に形成される。選択的にベースプレート５０２及び流出経路の下部５０４は一体的に形成でき、ポンプ性能を向上させ製造を容易にしコストを減少させる。
2010524800.tif 000002
【特許請求の範囲】
【請求項１】
上流側および下流側を有し、ベースプレートを貫通する液流開口部を形成するベースプレートと、
共に一体的に形成された第一拡張部およびフラップ材を有する下側部材であって、前記フラップ材は前記液流開口部を覆い、かつ前記ベースプレートの前記下流側に密閉係合するよう取り外し可能に配置できる下側部材と、
共に一体的に形成された第二拡張部および柔軟なポンプハウジングを有する上側部材であって、前記柔軟なポンプハウジングは内部空洞および内壁にフラップ接触面を有し、前記ベースプレートの前記下流側を密封し、前記フラップ材の周りに配置されている上側部材と、
を備える分配装置であって、
前記第一拡張部および前記第二拡張部は、共に組み合わさりその間に流出経路を形成し、
前記柔軟なポンプハウジングは、液体を前記ベースプレートの前記上流側から、前記液流開口部を通り、前記内部空洞に引き抜くように構成され、前記柔軟なポンプハウジングが、前記柔軟なポンプハウジングの前記フラップ接触面が、前記ベースプレートの前記下流側に対して前記フラップ材を押して、前記液流開口部を通って液体が流れることを防ぐように、前記液流開口部を密封するときに、液体を前記流出経路を通して強く押し出すようさらに構成されている分配装置。
【請求項２】
前記ベースプレートが上流に面して凸形状であり、前記ベースプレートの前記上流側に圧力が加えられた場合に前記ベースプレートが凹形状に変形可能である請求項１に記載の分配装置。
【請求項３】
前記フラップ接触面上に少なくとも1つのハウジングスタンドオフレグをさらに備える請求項１に記載の分配装置。
【請求項４】
前記ベースプレートの前記上流側に配置された少なくともひとつのベースプレートスタンドオフレグをさらに備える請求項１に記載の分配装置。
【請求項５】
前記流出経路に流体連通状態に配置された排出バルブをさらに備える請求項１に記載のバルブ。
【請求項６】
前記液流開口部に流体連通した貯蔵容器をさらに備える請求項１に記載の分配装置。
【請求項７】
分配する材料を保持する容器と、
前記容器に受け入れられるドームポンプおよび一体的に形成されている流出経路の上部を有する第一部材であって、前記ドームポンプが前記容器の内部に流体連通した入口を有している第一部材と、
前記入口と前記容器の前記内部との間に介在する第一バルブおよび一体的に形成された流出経路の下部を有する第二部材と、
を備える分配装置であって、
前記ドームポンプの反対側に同時に加えられた作動力が、前記第一バルブを作動し、前記ドームポンプから、前記上部と前記下部とが共に組み合い形成された前記流通経路を通って材料を移動させ、前記ドームポンプの片側のみに加えられた作動力が、前記第一バルブを作動し、前記ドームポンプから前記入口を通って前記容器に材料を移動させる、
分配装置。
【請求項８】
ベースプレートを通る開口部を有するベースプレートであって、前記開口部を覆う選択的に配置可能なフラップ材を有するベースプレートをさらに備える請求項７に記載の分配装置。
【請求項９】
前記フラップ材が、前記作動力によって選択的に配置される請求項８に記載の分配装置。
【請求項１０】
前記ベースプレートが前記フラップから離れるような通常凹形状である請求項９に記載の分配装置。
【請求項１１】
前記容器がパウチである請求項７に記載の分配装置。
【請求項１２】
前記流通経路に介在する第二バルブをさらに備える請求項７に記載の分配装置。
【請求項１３】
上流側および下流側を有する第一部材であって、該第一部材を貫通する液流開口部および第一拡張部を形成する第一部材と、
第二拡張部と、柔軟なポンプと共に一体的に形成されたフラップ材とを有する第二部材であって、前記フラップ材は前記液流開口部を覆い、かつ前記第一部材の前記下流側に密閉係合するよう取り外し可能に配置でき、前記柔軟なポンプハウジングが内部空洞を有し、前記第一拡張部と前記第二拡張部とがともに組み合わさりその間に流通経路を形成している第二部材と、
を備える分配装置であって、
前記柔軟なポンプハウジングは、液体を前記ベースプレートの前記上流側から、前記液流開口部を通り、前記内部空洞に引き抜くように構成され、前記柔軟なポンプハウジングは、前記液流開口部から液体が流れることを防ぐように、前記フラップが前記液流開口部を覆い、前記液流開口部と密閉係合するよう配置される場合に、液体を前記流出経路を通して強く押し出すようにさらに構成されている分配装置。
【請求項１４】
前記第二部材が上流に面して凸形状のベースプレートをさらに一体的に含み、前記ベースプレートは、前記ベースプレートの前記上流側に圧力が加えられた場合に凹形状に変形可能である請求項１３に記載の分配装置。
【請求項１５】
前記フラップ接触面上に少なくともひとつのハウジングスタンドオフレグをさらに備える請求項１３に記載の分配装置。
【請求項１６】
前記ベースプレートの前記上流側に少なくともひとつのベースプレートスタンドオフレグをさらに備える請求項１４に記載の分配装置。
【請求項１７】
前記流出経路に流体連通状態に配置された排出バルブをさらに備える請求項１３に記載のバルブ。
【請求項１８】
前記液流開口部に流体連通した貯蔵容器をさらに備える請求項１３に記載の分配装置。
【請求項１９】
分配する材料を保持する容器と、
前記容器に受け入れられるドームポンプおよび一体的に形成されている流出経路の上部を有する第一部材であって、前記ドームポンプが前記容器の内部に流体連通した入口を有している第一部材と、
前記入口と前記容器の前記内部との間に介在する第一バルブを有するベースプレートと、共に一体的に形成された流出経路下部とを有する第二部材であって、前記上部および前記下部が共に組み合わさりその間に流出経路を形成している、第二部材と、
を備える分配器であって、
前記ドームポンプの反対側に同時に加えられた作動力が、前記第一バルブを作動し、前記ドームポンプから前記流通経路を通って材料を移動させ、前記ドームポンプの片側のみに加えられた作動力が、前記第一バルブを作動し、前記ドームポンプから前記入口を通って前記容器に材料を移動させる、分配装置。
【請求項２０】
前記第一バルブが前記第一部材に一体的に接続された電動子を含む請求項２０に記載の分配装置。
【請求項２１】
ベースプレートを貫通する開口部を有するベースプレートさらに含み、前記電動子が前記開口部を覆うように選択的に配置可能である請求項２０に記載の分配装置。
【請求項２２】
前記電動子が前記作動力によって選択的に配置される請求項２０に記載の分配装置。
【請求項２３】
前記ベースプレートが通常前記電動子から離れるような凸形状である請求項２０に記載の分配装置。
【請求項２４】
前記容器がパウチである請求項１９に記載の分配装置。
【請求項２５】
前記流出経路に介在する第二バルブをさらに備える請求項１９に記載の分配装置。
【発明の詳細な説明】
【技術分野】
【０００１】
関連出願の相互参照
本出願は、２００７年４月２６日出願の米国仮特許出願第６０／９１４，２４３号に関連し、その優先権を主張する２００７年１２月６日出願の米国特許出願第１１／９５１，３５１号の一部継続出願である。
【０００２】
本発明は、概して分配装置および包装に関する。より明確には、本発明は、液体のような流体媒体源から流体媒体を制御可能に分配することのできる計量装置に関する。
【背景技術】
【０００３】
多様なタイプの流体材料および媒体は、商業及び工業を通して異なる目的のために用いられている。例えば、パーソナルケア、ホームケア、エアケア、輸送ケア、および食品工業には、流体材料源から流体材料のある種の分配が必要な多様な製品が存在する。この材料が市販されている場合、ある種の容器に収容および貯蔵しなければならない。製品を使用する場合は、その貯蔵容器から使用場所へ分配しなければならない。
【０００４】
従来技術において、多くの異なるタイプの流体材料を供給するための分配器が存在する。例えば、この目的のためにノズルチップを有する柔軟な容器本体が通常提供される。このような使用に適するのは、流体材料をノズルチップから所望の位置へ正確に押し出すために、使用者によって容器本体が絞られる、ケチャップの分配である。供給される流体の量は、使用者がどの程度容器本体を絞るかによって決定される。しかし、これは容器本体を連続的に絞ることによって多すぎる、または少なすぎる流体材料が供給されるといった一定でない結果を生じる。またバルブが用いられていないためにおこる漏れを避けるために、容器を垂直に保持しなければならない。
【０００５】
従来技術の分配装置の別の例においては、柔軟な容器は供給する流体材料量を保持する。ひとつの一方向チェックバルブが柔軟な容器からの出口ポートとして設けられている。柔軟な本体が絞られると、材料は圧力に応じてバルブを通じて押し出される。
【０００６】
また流体材料を分配するだけではなく、表面などに流体材料を塗る補助をすることも求められている。従来技術において、絞り出し可能な容器本体には、この目的のための一種のアプリケーターヘッドが装備されている。例えばパーソナルケア産業において通常体を洗う装置は、ある種の絞り出し可能容器本体、およびそれに適用される布または発泡体などの研磨用アプリケーター材を含んでいる。したがって、流体材料が容器本体外部にある場合、より均等な材料の分配のために流体を広げることによって、アプリケーターは使用者の体に材料を広げる補助をする。靴墨の塗布などのパーソナルケア産業において均等かつ滑らかな塗布という質を保証するために、アプリケーターは均等な分配に特に有用である。
【０００７】
容器本体のまわりに配置されたアプリケーターに流体材料を容易に供給することができる分配器を提供することが、従来技術において試みられている。これら従来技術の装置は、例えば、主容器本体の出口ポートを開いて、アプリケーター材層の外側へ流出させることができるバネ押しのボタンを利用している。これは、容器本体全体を使用者が絞る必要がない。しかし、これらの装置は、各分配動作において実質的に均等な量の流体を供給することができない。なぜなら、これらは単に容器本体を広げ、重力によって流体をアプリケーター材へ流出させているからである。結果として、流体材料は、容器の下側に存在しなければならない。したがって、流体を容器の二つ以上の側面に、または重力と反対の方向に分配することができない。重力に関係なく流体材料を分配するために、上述した不都合さの全てを有する先行技術において絞り出し可能な容器本体を使用しなければならない。
【０００８】
吸い出された材料が所望の位置へ向かうように、分配する材料を収容するパッケージ、管または袋の任意の位置に、かつ任意の様式にて計量装置を取り付けることが一般的に求められている。例えば、材料を袋または容器の反対側に出すために、ポンピング計量装置を装置上部に設置し、かつ本体の袋または容器を通る出口管または導管を設けることが望まれるだろう。例えば洗浄用スポンジは、この構成によく適しており、計量ポンピング機構がスポンジ上部に配置され、計量材料がスポンジの反対側、すなわち洗浄される面とかみ合う面に出る。
【０００９】
また、計量ポンプと、分配する材料を収容する袋または容器の外表面にある出口ポートとを含む計量ポンピング機構を構成することが求められている。特定の環境において、例えばスタンドガセットパウチ、印刷済み容器、再密閉可能ジッパー付きパウチ、涙型刻み目およびパンチ穴付きパウチは、改善された計量分配システムを必要としている。
【００１０】
また従来技術において、液体の不注意によるまたは偶発的な分配を防ぐことが可能な分配装置が特に求められている。分配器から液体を首尾よく分配するために、使用者が特定の方法にて分配器を操作する必要がある分配器が求められている。また、使用していない場合に実質的に漏れ、および望まない分配が起こらない状態を保つことのできる分配器構造が求められている。
【発明の概要】
【発明が解決しようとする課題】
【００１１】
本発明は、従来技術の分配装置の好都合点を維持している。さらに本発明は、現在利用可能な装置にはない新たな好都合点を提供し、この現在利用可能な装置の多くの不都合さを克服する。
【００１２】
本発明は、分配される流体材料の均等な分配のための任意選択のアプリケーターによる各分配操作において、実質的に均等な計量用量の流体材料を供給するための新しく、かつ独自の分配器に対するものである。本発明は、偶発的に、または不注意によって圧力が分配器のポンプ部分に与えられた場合に、液体分配器の貯蔵袋からの不注意による、または偶発的な分配を防ぐ新しく、かつ独自のバルブ調整構造を提供する。
【課題を解決するための手段】
【００１３】
本発明の流体分配装置は、内部流体貯蔵部を内部に有する容器を含む。柔軟な計量ハウジングは、流体貯蔵部に流体連通に設置され、第一の一方向バルブが容器および柔軟な計量ハウジングの間に設置される。またこの第一の一方向バルブの代わりに、用途および分配する液体に適した両方向バルブを構成することができる。柔軟な計量ハウジングが押され、次いで開放された場合、容器の流体貯蔵部内からの一方向の流れは、真空動作により計量室の所定の体積を流体よって満たす。第二のバルブは、計量ハウジングの出力ポートに流動的に連通し、計量ハウジングが再び押された場合、計量室から容器外部へ流体が流れることができる。計量ハウジングが押されるたびに、実質的に等しい量の流体が容器から分配される。流体の分散および供給を容易にするために、追加的なアプリケーター層、例えば発泡体層を容器の外側に設けることができる。
【００１４】
本発明は、装置内の流体の流れを制御する新しく、かつ独自のバルブ調節構成を含む。さらに特に、貫通開口部を有するベースプレートは、液体の貯蔵部およびポンピング装置の間に配置される。ベースプレートは、わずかに凸状であることが好ましい。開口部上方およびドーム空洞内の残りの部分は、薄いフィルム構造のフラッパー弁である。フラッパー弁は、通常開いた形状として構成することができる。開口部を有するプレートが凸状のまま、かつフラッパー弁が開いたままである限り、フラッパー弁は開口部を封じない。結果として、ドーム状ポンプまたは貯蔵容器への不注意による接触により、製品は分配されないが、かわりに注入開口部を通りドームから袋容器内部のリザーバーに製品が戻ることになる。しかし、実際に製品の分配が必要な場合は、使用者の親指がドームを押し、ドームポンプの下に配置されたスタンドオフレグおよびベースプレートの下のスタンドオフレグに対して力を加えて使用者の人差し指がベースプレートを凸状から凹状へ反転させることにより、フラッパー弁が閉じ、開口部を実際に封じそれにより袋のリザーバーに戻る通路を閉じる。結果として意図する分配のために、液体は袋の一方向出口バルブを通って流れる。
【００１５】
また本発明は、一回分として材料を分配するために、袋またはコンテナのような容器の外に取り付けられる計量分配システムを提供する。本発明の外部構成によって、ポンピング機構の反対側に分配材料を送ることに適さない特定の環境にて使用される分配システムが可能になる。
【００１６】
したがって本発明の目的は、各分配操作によって実質的に等しい量の流体材料を供給できる流体分配装置を提供することである。
【００１７】
本発明の他の目的は、ドーム状のポンピング機構または分配器の貯蔵容器に対して不注意に、または偶発的に圧力が加えられた場合に、不注意によるまたは偶発的な貯蔵容器からの液体の分配を防ぐ、流体分配装置を提供することである。
【００１８】
本発明のさらなる目的は、重力に影響されない流体分配装置を提供することである。
【００１９】
本発明のさらなる目的は、流体材料の均等な供給を保証するアプリケーターを含む流体分配装置を提供することである。
【００２０】
本発明の他の目的は、装置から任意の場所に流れる流体を供給することができる流体分配装置を提供することである。
【００２１】
本発明のさらなる目的は、装置から多数の位置に流れる流体を供給することができる流体分配装置を提供することである。
【００２２】
本発明のさらなる目的は、外部計量分配システムを提供することである。
【００２３】
本発明に特有の新しい特徴は、特許請求の範囲に述べる。しかし、本発明の好ましい実施形態は、さらなる目的および付随する好都合点とともに、添付図面に関連してなされる下記の詳細説明を参照することによりよく理解されるだろう。
【図面の簡単な説明】
【００２４】
【図１】本発明の分配装置の一の実施形態の上面斜視図である。
【図２】図１の分配装置の下面斜視図である。
【図３】図１の線３−３に沿った横断面図である。
【図４】本発明の他の実施形態の上平面図である。
【図５】本発明のさらに他の実施形態の上平面図のである。
【図６】流れ促進切欠きを示す本発明の分配装置の他の実施形態の上平面図である。
【図７】ポンピング機構の分割プレートの下部にスタンドオフレグを有する計量ハウジング拡大斜視図である。
【図８】コイルバネを有する計量ハウジングの拡大斜視図である。
【図９】本発明のさらに他の実施形態の上平面図である。
【図１０】不注意による、または偶発的な液体の分配を防ぐために改良されたバルブ調節を含む本発明の計量分配システムの他の実施形態の斜視図である。
【図１１ａ】図１０に示す計量分配システムの前面分解斜視図である。
【図１１ｂ】独立ユニットとして形成された計量ポンプ機構の前面分解斜視図である。
【図１２】改良されたバルブ調節を表した本発明の計量分配システムの図１０の線１２−１２に沿った斜視横断面図である。
【図１３】図１０の線１２−１２に沿った横断面図である。
【図１４】実際の流体の分配を表した、図１０の線１２−１２に沿った横断面図である。
【図１５】内圧によって出口チャンネルを通り、一方向出口バルブへ向かう追加的な逆流の生成を表した、本発明の計量分配システムの線１２−１２に沿った斜視横断面図である。
【図１６】本発明に基づく計量ポンプ機構のさらに他の実施形態の分解斜視図である。
【図１７】本発明に基づく計量ポンプ機構のまたさらに他の実施形態の横断面図である。
【発明を実施するための形態】
【００２５】
まず図１および２を参照すると、全体として１２で示されるアプリケーター材として作用する外側カバーを含む本発明の分配装置１０が示されている。このアプリケーター材１２ｂは、手元による利用に適した任意のタイプの材料から形成することができる。例えば図１および２に明らかなように，使用の際に二つの目的にかなうように、カバー１２は、二つの異なるタイプの材料１２ａ、１２ｂから形成されることが好ましい。好ましくは、上部１２ａは発泡材料であり、一方下部１２ｂはメッシュ、または「プーフ（ｐｏｕｆ）」材料である。上部１２ａは例えば溶着によって下部１２ｂに固定することができる。図３に関連して後にさらに詳細を示すように、スナップフィットカバー１４は、補充ポート１６を密封する。また吊りストラップまたはコード１８を設けることができる。アプリケーター１２の構成は、下記にさらに詳細を示す本発明の多くの異なる適用タイプのうちのひとつにすぎない。また装置の意図する目的が、流体の塗布に関する分配および補助ではなく流体の分配のみである場合は、アプリケーター材１２ａ、１２ｂを省略することができる。
【００２６】
図３を参照すると、本発明の分配装置１０の実施形態の内部構造を表した、図１の線３−３に沿った横断面図が示されている。流体材料２４を内部に収容する流体貯蔵部２２を含む容器本体２０が設けられている。容器２０は柔軟な材料、例えばプラスチックまたはナイロンにより作られることが好ましい。したがって流体材料２４が容器本体２０内部から吸い出されるにつれて、徐々につぶされコンパクトな構造になる。
【００２７】
計量ハウジング２６は、容器本体２０の第一開口部２８に設けられている。容器本体２０の流体貯蔵部２２から所定の大きさの計量室３２に流体２４を引き入れるため、計量ハウジング２６は、例えばチェックバルブのような一方向吸入バルブ３０を含む。所定の用途に適するために、任意のタイプのバルブを使用することができる。例えば、バルブ構造の異なる実施形態について、図１０−１５に関連して下記に詳細を述べる。図３をさらに参照すると、吸入バルブ３０は計量ハウジング２６のベースプレート３４に配置されている。したがって、流体２４は、一方向、すなわち流体貯蔵部２２から計量室３２へのみ流れることができる。計量室３２は柔軟膜３６によってボタンまたは球（ｂｕｌｂ）の形に形成され、アプリケーター材１２の間隙３８からアクセス可能および操作可能である。ドームポンプとしても知られるボタン３６は、流体材料２４の計量投与量の供給準備ができた場合に、消費者に対し指標に提供するために、透明とすることができる。
【００２８】
排出バルブ４０は、計量ハウジング２６の計量室３２に流体連通に設けられている。したがって、計量室に存在する流体は、排出バルブ４０を通じてのみ出ることができる。また流体導管４２は、任意の位置に流体２４の流出を導くように容器本体を通って設けられている。図３に明らかなように流体導管４２は、計量ハウジング２６の排出バルブ４０を、容器本体の下部に位置する出口ポート４４に接続することが好ましい。これにより、計量ハウジング２６は、流体２４の出る側と反対側にできる。手元の利用に応じて、容器本体２０を通り任意の位置に出るように、流体導管４２は導かれ、および配置されることが可能である。また排出バルブ４０は、利用の要求に応じた代替形として出口ポート４４に配置されることが可能である。排出バルブ４０は、扁平なチューブ材料、または共に固定された二つの部分の材料とすることができる。後者は、図１０−１５に明らかに見ることができ、さらなる詳細を下記に述べる。
【００２９】
図３を再び参照し、分配装置１０の動作をさらに説明する。計量ハウジング２６のボタン３６は真空動作を開始するために押される。より具体的には、ボタン３６がさらに解放される場合、流体２４は容器本体２０の流体貯蔵部２２から一定の規定量に構成された計量室３２に引き入れられる。ボタン３６の解放動作により、計量室３２は実質的な容量に満たされる。したがって、計量された量の流体材料２４は、供給に備えて計量室３２内に含有される。計量室３２の大きさは分配される流体材料２４のタイプ、利用目的および所望の使用量に応じて選択可能である。
【００３０】
ボタンまたはドームポンプ３６をさらに押下することにより、計量室３２内の計量された量の流体２４を計量ハウジング２６の排出バルブ４０を通じて外に押し出す。次いでこの規定量の流体材料２４は、使用するためにオプションのアプリケーター１２へ直接送られるか、または図３に明らかなように、より定められた導入のために流体導管４２を通ってアプリケーター１２へ入る。この場合、計量された量の流体材料２４は、容器下表面のアプリケーター部分１２ｂに分散されるために、容器本体２０の下部へ送られることが好ましい。例えばこの構成は、特に入浴用のボディーソープの分配によく適している。他の用途には、異なる出口およびアプリケーター材１２への導入位置が必要であろう。例えば液体の出る位置は、装置１０のドームポンプと同じ側とすることが可能である。これは、装置１０がアプリケーター１２を使用せずに単に流体の分配を意図している場合に特に有用である。
【００３１】
図４には、変更された計量ハウジング１２６を有する容器１２０の代替形構造が示されている。この実施形態において、排出バルブ１２８の配列は計量ハウジング１２６の円周に放射状に配置され、容器本体２０内部を通された流体導管４２を利用せずに、流体材料１２４を同じ側のアプリケーター材（説明を簡単にするために図４には示さず）に直接供給する。この放射状の供給パターンは、例えば皮膚用クリームを塗るために、計量ハウジング周囲に内容物を同時に分散する必要がある塗布装置によく適している。
【００３２】
なおさらに図５は、本発明の変更された計量ハウジング２２６を有する容器２２０の別の代替形構造を示しており、流体導管を利用せずに、流体材料を同じ側のアプリケーター材（説明を簡単にするために図５には示さず）に直接供給するために、排出バルブ２２８の配列は容器本体２２０の上部表面を横切り直線的に配置されている。この直線的な供給パターンは、装置の縦軸に沿った直線的なストロークに基づく方法にて流体を塗布するアプリケーターによく適している。
【００３３】
本発明に従って、流体材料２４の供給方向は、手元での利用に適するように容易に変更することができる。ある適用において、容器本体２０の上部および下部に配置されたアプリケーター材１２は、等しく分配された方法にて流体材料を受け入れることが望ましい。上述したように、流体を要求されたように供給するために、流体材料２４は、容器２０の任意の位置から外に向かうことができる。流体２４は、容器２０の一側２０ａから容器２０の逆側２０ｂ特に容器の縁２０ｃへ無抵抗に流れることができることが多く望まれる。
【００３４】
図１を再び参照すると、良質の分配装置１０を効率的に製造する方法は、容器２０および容器の上のアプリケーター材１２を構成するために熱溶着を利用する方法である。例えば、外縁２０ｃの周りにて上部２０ａは通常下部２０ｂに熱溶着され、中に流体貯蔵部２２内部を有する容器２０を形成する。アプリケーター材１２も同様に、熱溶着、または例えば接着などの他の類似した工程によって、容器の外縁または容器２０と接触表面全体において、容器２０に固定される。
【００３５】
容器２０の外縁２０ｃ周りの熱溶着のとじ目２０ｄは、一側のアプリケーター材１２ａから他側のアプリケーター材１２ｂへ、および逆向きの、流体２４の流れおよび吸上動作を減らすために用いられる。したがって流体２４は、容器のとじ目２０ｄおよび逆側に存在するアプリケーター材１２のとじ目を越えて移動しなければならない。このとじ目１２ｄ、２０ｄは、流体２４が容器２０前面から背面へ、およびその逆方向へ自由に流れることを妨げている。
【００３６】
図６は上記に示された問題に対する本発明の範囲内の容器２０のさらなる改良形を示している。より具体的には、流体材料２４が容易に容器２０の一側から他側へ流れることができるように、いくつかの切欠き４６が容器２０の周辺の縁２０ｄに形成されている。アプリケーター材１２が容器の周辺の縁に熱封止され、とじ目１２ｄが形成される場合、とじ目２Ｏｄ、１２ｄおよびアプリケーター材１２の間にいくつかの貫通開口部４８が形成され、これにより、流体材料２４は周辺のとじ目１２ｄ、２０ｄを越える必要なく、装置１０の一側から他側へおよび逆へ自由に流れることができる。
【００３７】
アプリケーター材１２は、例えば連続気泡発泡体などの発泡体、布、混合物、共押出材およびそれらの組み合わせとすることができる。これらの材料は、本発明の分配器１０に結合して使用できる材料タイプの単なる例であることが理解されるべきである。具体的な材料は、所与の用途および分配される材料のタイプによって決定される。
【００３８】
したがって、流体材料２４が発泡体に分配される場合、流体２４は、高湿度点から低湿度点へ湿度を移動させることにより湿度平衡に保つ傾向にある。この吸上動作によって、流体２４はアプリケーター材１２を通じて自然に広がる。外縁にアプリケーター材１２がないため、用途に必要であれば、図６の切欠き４６および貫通開口部４８は、装置１０の一側から他側への吸上動作を容易にする。
【００３９】
また不織布材料または繊維を、装置の片側または両側のアプリケーター１２の材料として用いることができる。また例えば、網状発泡体（ｒｅｔｉｃｕｌａｔｅｄ ｆｏａｍ）を用いることができる。これらの材料は耐久性が要求される、例えばタイヤクリーナーおよび塗料剥離剤などのよりきつい化学薬品用のアプリケーター１２によく適している。また、より強い洗浄のために、例えば反対側が研磨タイプの面を有するというように、さらに研磨材料を装置の一側に設けることができる。
【００４０】
一般的にセルの大きさ、密度および吸上動作、およびアプリケーター１２全体の大きさは、利用される特定の流体に適するように変更することが可能である。前述のアプリケーターは、材料が図１０−１５のように容器２０のポンプと同じ側から出るか、または図１−３のように逆側から出るかということに関係なく、本発明の任意の実施形態に組み込まれることが可能である。
【００４１】
図１、７および８を参照すると、計量ハウジング２６構造の更なる拡張形が詳細に示されている。図１および７に明らかなように、いくつかのスタンドオフレグ５０が計量ハウジング２６のベースプレート３４から下方に出ている。これらのレグ５０は、ベースプレート３４が完全に底に付き、吸入バルブ３０への流体材料２４の流れを阻害してしまうことを防いでいる。スタンドオフレグ５０は、容器２０に残った流体材料２４の量が少なく、かつ容器２０が相対的に平坦な形状になっている場合に特に有用である。この状況において、前述の底付きが発生する可能性がある．しかし、図１および７のスタンドオフレグ５０の使用によって、このような底付きが起こることが防止される。
【００４２】
図１を再び参照するとともに、図８は、最大吸引が達成されること、およびボタン３６の押下および解放それぞれによって計量室３２全体が満たされることを確実にする計量ハウジング２６のさらなる改良形が示されている。バネ付勢機構５２は、計量ハウジング２６ボタンまたは球構造３６内に存在する。したがって、所望の計量流体材料２４によって計量室３２内部を満たすために強い吸引または真空が行われるとともに、ボタン３６はすばやく回復する。バネ付勢機構５２にはコイルバネが好ましいが、他のバネ付勢機構、例えば板バネ、および発泡体材料をこの目的のために用いることができる。
【００４３】
図９は本発明の実施形態２００のさらなる代替形を示しており、容器、例えば容器２２０または１２０が、容器２２０から外向きに出ている一連のタブ２０２を含んでいる。外側のフレームまたは骨組み２０４は、タブ２０２を介して容器２２０に接続されている。アプリケーター材２０６、例えば「プーフ（ｐｏｏｆ）」または布材料は、容器２２０と共にフレーム２０４に取り付けられる。この実施形態２００は、分配器２００回りに流体材料を自由に流すことを可能にするのに特によく適している。
【００４４】
図１０−１５を参照すると、本発明の改善されたバルブ調節を含む装置３００の詳細が示され、これは圧力がドームポンプ３２６または貯蔵容器３２０に加えられた場合にも、不注意によるまたは偶発的な液体の３０２分配を防ぐ。図１０は、本発明による改善されたバルブ調節を利用した計量分配器３００の透視図を示す。貯蔵容器３２０外部は、例えば溶着によって共に固定された二枚のシート材料３０４、３０６、またはチューブ材料によって形成されて提供されている。全体として３２６で示される計量ポンプは、液体３０２を貯蔵容器３２０から引き出し、計量し、および次いで出口ポート３０８を介して分配する。
【００４５】
図１１ａは、貯蔵容器３２０上部を形成する材料の上部シート３０４、および図１０に示す計量ポンプ３２６の分解組立図を示す。計量ポンプ３２６は、貯蔵容器３２０の上の壁として作用するシート材料３０４の上に取り付けられる。シート材料３０４は、好ましくは薄いフィルム構造の通常は開放に構成された一方向フラッパー弁３１０を含む。またフラッパー弁３１０は、静止状態では平らになるように構成することが可能である。図３に示されたものと類似して、柔軟なハウジング形状の計量ハウジング３１２は、一方向フラッパー弁３１０の上方に配置される。流れ開口部３１６を有するベースプレート３１４は、シート材料３０４およびフラッパー弁３１０の下に配置される。ベースプレート３１４は、下記に述べるようにポンプ３２６の動作を補助するために凸状とすることができる。柔軟なハウジング３１２およびベースプレート３１４は、ポンプ構造を形成するようにそれぞれの外周にてシート３０４に溶着されている。分配された液体３０２の流出経路３２２を作るために、追加的な長さの材料３１８が縦の縁にてシート材料３０４に溶着される。液体の３０２のこの方向の流れを達成するために溶着ライン３２４がシート材料３０４の上に示されている。この特殊な実施形態において、流出経路３２２は分配装置３００の貯蔵容器３２０を形成する上部シート材料３０４の上面に配置される。また追加的な長さの材料３１８および上部シート材料３０４が互いに非常に密接にあるため、この構造は装置３００からの望まない液体３０２の流れをさらに防ぐための排出バルブとして作用する。
【００４６】
この実施形態において、図１１ａに明らかなように、柔軟なハウジング３１２、ベースプレート３１４および追加的なシート材料３１８の溶着により、一方向フラッパー弁３１０は貯蔵容器３２０の上部シート材料３０４に一体化する。この長い材料３１８は、ハウジング３１２のすそ３１２ａの上部または下部に取り付けることができる。すそ３１２の下部に取り付けるフィルム材料のリングを含むために、長い材料３１８を伸ばすことができる（図示せず）。またポンピング機構は、貯蔵容器本体３２０に組み込み可能な個別の独立型構造４２６とすることができる。図１１ｂは、貯蔵容器（図示せず）の壁を形成するシート材料４０２の下に取り付け可能な、このような独立型ポンプ構造４２６を示している。この接続においては、柔軟なドームハウジング４０４は、シート材料４０２の開口部４０６を通り、要求に従ってすそ４０４ａの適当な位置に溶着されることが好ましい。流出経路４０６およびバルブ４０８は、シート４１８に４１４にてそれぞれの縦の長さに沿ってシート材料４０２に溶着されることができる。また液流開口部４１２を有するベースプレート４１０はシートの下面に溶着されることができる。または、図１０に見られるように流出経路貯蔵容器３２０の縁と一緒に終端するように、流出経路４０６の自由端およびバルブは、貯蔵容器を封じる第一の溶着と逆側に溶着されることができる。
【００４７】
図１２−１４を参照すると、本発明の改善されたバルブ調節を有する独立型ポンプ構造４２６の動作のさらなる詳細が示されている。追加的なシート材料は説明を簡単かつ明確にするために図示されていない。図１２は透視横断面図を示し、図１３は図１０のライン１２−１２に沿った横断面図を示す。圧力がドームポンプハウジング４０４に誤ってまたは不注意に加えられた場合に、このバルブ調節は、不注意による、または偶発的な貯蔵容器３２０からの液体３０２の分配を防ぐ。スタンドオフレグ４２２は柔軟なドームポンプハウジング４０４上部の下側に設けられ、ベースプレート４１０は凸形状に設けられ、ベースプレート４１０に通じた流通開口部４１２が、求められた場合にのみ封止されることを保証している。またスタンドオフレグ４２４はベースプレート４１０の下部に設けられ、一方向フラッパー弁４０８の封止を補助し、かつ上述したような真空吸引を防ぐ。
【００４８】
より具体的には実際の分配操作は、ドームポンプ４２６の柔軟なドームハウジング４０４およびベースプレート４１０下部のスタンドオフレグ４２４に対して力を加えることが必要である。不注意にまたは誤ってこれら二つの場所に同時に力が加えられることは考えられないため、偶発的なまたは不注意による液体の分配の可能性は実質的には消去できる。
【００４９】
本発明のドームポンプ４２６において、流通開口部４１２が通るベースプレート４１０は、わずかに凸状であることが好ましいが、必要であれば平らにすることも可能である。開口部４１２上方、およびドームの空洞４０５内部に好ましくは薄いフィルム構造のフラッパー弁４０８がある。このフラッパー弁４０８は通常開放状態に構成されることが可能であるが、また静止時に平らになるよう構成されることも可能である。開口部を有するプレート４１０が凸状を保つ限り、フラッパー弁４０８は開口部４１２を封じることがなく、不注意による柔軟なドームポンプハウジング４０４への接触によって製品分配されることがない。そのかわり、フラッパー弁４０８が開いているため、柔軟なポンプハウジング４０４の空洞４０５内部にある液体製品は、流出バルブを通じて分配器４００の外へ望ましくなく流れるよりも、図１３の矢印によって示されるように、入口開口部４１２を通じて貯蔵容器自体のリザーバーに簡単に流れ戻る傾向がある。使用時に、人が分配器をポケットまたはハンドバッグに入れ、圧力が誤ってまたは意図せずドームポンプ４２６の柔軟なハウジング４０４に加わった場合、液体は分配器の外側に流れないため製品の意図しない分配によって汚れることを防止する。
【００５０】
図１４は、意図した液体３０２の分配を示す。実際に液体製品３０２を分配することが要求される場合、使用者の親指４３０は柔軟なドーム４０４押すことができ、かつ使用者の人差し指４３２は、スタンドオフレグ４２４に対して力を加えることによりベースプレート４１０を凸状のから凹状に反転させることができる。その結果柔軟なドーム４０４は、柔軟なドームの下のスタンドオフレグ４２２の補助により、開口部４１２を覆うフラッパー弁４０８を確実に封じてポジティブロックし、それにより貯蔵容器３２０のリザーバー４３４へ戻る液体の流路を閉じる。またベースプレート４１０が凹状であって、凸形状に反転させることも可能である。この操作を行うために使用者の他の指を使用することができる。したがって、ドーム４０４の空洞４０５内に含まれる液体３０２の唯一の経路は、図１４の矢印で示されるように意図した製品分配のために、一方向出口バルブ４３６を通って出ることである。
【００５１】
フラッパー弁４０８を封止する使用者の指４３０、４３２によって押し出される必要量を調整するために、柔軟なドームハウジング４０４下部のスタンドオフレグ４２２、およびベースプレート４１０下部のスタンドオフレグ４２４は、大きさ、長さおよび形状を変更することができると理解されるべきである。例えば、４つのスタンドオフレグ４２２は柔軟なドームハウジング４０４の下部に２ｘ２の配列に設けられることが好ましく、かつ１／３２インチの長さにすることができる。またこれらスタンドオフレグ４２２は、例えば円形または正方形の形のひとつの下方に垂れ下がる壁とすることができる。フラッパー弁４０８がベースプレート４１０をよく密封するために、このような配列はベースプレート４１０の開口部４１２の直径の外側にて、一方向フラッパー弁４０８を下向きの押すように構成されている。
【００５２】
図１１ａのポンプ構成３２６の操作は、図１１ｂ〜１４に示されたポンプ４２６の操作に類似していることが理解されるべきである。図１１ａのポンプ３２６は、ポンプ４２６に類似して、液体を制御可能に分配するために容器に取り付けられることができる。さらに特に、ポンプ３２６はまたポンプ４２６と類似した方法にて操作され、図１４に示されるように使用者の指によってフラッパー３１０が確実に閉じられた状態になる。操作がポンプ４２６と同じである一方、所与の容器環境に最良に収容されるために、上述したように図１１ａのポンプ３２６の構造は、わずかに異なる。
【００５３】
同様に、一方向フラッパー弁４０８の封止を行う押し出し圧力を調整するために、ベースプレート４１０の凸量を、変更することができる。さらになお、要求されるポンプ４２６構成および分配する材料のタイプに応じて、柔軟なドーム４０４内部のスタンドオフレグ４２２および／またはベースプレート４１０下部のスタンドオフレグ４２４を省略することができる。
【００５４】
図１５を参照すると、本発明は望まない液体の分配を防ぐためのさらなる構造を設けている。上述の改善されたバルブ調節に加えて、貯蔵容器３２０の外に圧力が加えられた場合、漏れを防ぐために出口ポート通路４３６の自動遮断が作用する。図１５において、圧力が貯蔵容器または袋３２０の外に加えられた場合、参照符号Ａの矢印に示されるように、出口ポート通路４３６はつぶれ、平らになり、かつ圧縮されて閉じる傾向がある。結果として、経路にある任意の材料は、参照符号Ｂの矢印に示されるように柔軟なドームハウジング４０４の空洞４０５に強制的に戻される。結果として、偶発的なまたは意図しない圧力が貯蔵容器３２０に加えられた場合に望まない漏れを防ぐ。
【００５５】
上記図１０〜１５の実施形態は、それぞれが別の部品として形成された４つの主要な構成品を有する計量ポンプ構造３２６、４２６を含むことが容易に明らかである。図１１ｂに見られるように、例えばポンプ構造４２６はドームボタン４０４、長い材料４１８、（流出経路を形成する）長い材料４０６および下部プレート４１０を含む。この４つの部品構造は、本発明の計量ポンプ３２６、４２６を利用することができる多くの異なる適用タイプに適している。しかし、この構造は、本発明を使用することのできる計量ポンプ機構の多くの異なる構造タイプのうちのひとつであることを理解されるべきである。
【００５６】
より具体的には、本発明の計量ポンプ機構は所与の用途に適するように変更することができる。例えば、図１６は、４つの構成品を提供するために、図１０−１５に示す４つの部品構造ではなく３つの部品構造を利用するポンプ機構５００の実施形態のさらなる代替形を示す。図１６において、図１０−１５のベース３１４、４１０と事実上全く同一のベースプレート５０２が使用されている。
【００５７】
また、ベースプレート５０２を通じる開口部５１０を閉じるためのフラッパー弁５０８を支える流出経路５０６の下部５０４は、図１０−１５に用いられた経路３２２、４０６と事実上全く同一である。しかし、図１６のこの実施形態において、ドームボタン５０８および流出経路５０６の上部５１２は、単一の本体または部品として統合的に形成されている。このような構成品の統合は、製造および組み立てをより容易に、かつより安価にすることができる。例えばポンプ５００のドームボタン５０８および流出経路５０６の上部５１２は、プラスチックまたはエラストマー材料を噴射成形している。したがって、図１０−１５の実施形態に類似した方法において、図１６のポンプ５００の構成品は例えば溶着によって互いに固定され、計量して液体を分配するための貯蔵容器または袋（図１６に示さず）に組み込まれるポンプ機構５００を形成する。図１６のポンプ機構５００は事実上同じ方法によって貯蔵容器に組み込まれ、上記の実施形態と実質的に同じように操作される。これは上記に詳しく述べてあり、図１６に関連して繰り返す必要はない。
【００５８】
やはり図１６を参照すると、本発明のポンプ機構５００のこの実施形態は、計量分配のために押されるドームボタン５０８を取り囲む環状の直立壁５１４を好ましく有する。直立壁５１４は、ドームボタン５０８の望まない押下を防ぐのに役立つ。さらにこの目的のための直立壁５１４の作用の詳細は、全く同一の方法にて動作する同じ直立壁の特徴を有する図１７に関連して下記に記載される。また流出経路５０４は、使用のために流出経路５０６から液体を流すことができるように、使用者によって第一に取り除かれるまたは開けられるべきである剥ぎ取り式の封５１６を装備することができる。事実上、剥ぎ取り式の封５１６は、流出経路５０６を封止している間は、弱く、または薄くされた長さの材料によって流出経路５０６の上部５１２に接続された部材であることが好ましい。これにより、剥ぎ取り式の封５１６は、使用者の少ない労力によって取り除かれるが、例えば輸送中などに偶発的に容易に切断されることはない。剥ぎ取り式の封５１６は特に初めての使用に先立ってポンプ機構５００を使用する分配器の輸送中の漏れを防ぐのに有用である。このような剥ぎ取り式の封５１６は、本発明の任意の実施形態に用いることができる。
【００５９】
図１７を参照すると、本発明の計量分配ポンプ機構の実施形態のさらに別の代替形が示されている。ポンプの構成品を提供するために、図１０−１５は４つの部品構造を示し、図１６は３つの構成品構造を示しているが、図１７は同じ構成品を提供するためのポンプ機構６００の２つの部品構造を示している。さらに特に、ベースプレート６０２および符号６０６として参照される流出経路の下部６０４が、単体の装置または部品に統合されている。ドームボタン６０８および流出経路６０６の上部６１０同様に単体の装置または部品に統合されている。
【００６０】
またフラッパー弁６１２は、ドームボタン６０８および流出経路６０６の上部６１０の統合した構造に組み込まれる。ベースプレート６０２を通じる開口部６１８を密封してかみ合うための突起６１６を自由端に設けるために、一体的に形成されたフラッパー弁６１２はドームボタン６０８から延在する腕６１４を含む。フラッパー弁６１２は、静止時にわずかに開いているようなバネ付勢とすることができ、このため圧力が誤ってドームボタン６０８に与えられた場合は、液体は貯蔵容器に戻り、漏れという形で出口ポートを通じて出ることがない。特に図１７に示していないが、所望の分配の際にフラッパー弁６１２を閉じたまま保持するために、図１０−１５に示すようにドームおよび湾曲したベースプレート内側のスタンドオフレグを使用することができる。またバルブ部材６１２が通常閉じられるように腕６１４は下向きバネ付勢とすることができ、したがってドームボタン６０８が下押しされた際には、バルブ６１２が閉じたままであり、ドーム６０８にある計量された液体は流出経路６０６の上部および下部６１０、６０４の間に形成された流出経路６０６を通じて外に押し出される。ドームボタン６０８が上に向かう場合は、バルブ６１２が開口部６１８から持ち上げられ、貯蔵室（図１７には閉めさず）からドームボタン６０８の室６２０に液体を充填することができる。
【００６１】
また図１７を参照すると、ボタンの望まない操作を予防するために直立環状壁６２２がドームボタン６０８の周りに配置されている。壁６２２は、ドームボタン６０８および下部６０４と一体的に成形されることが好ましい。壁６２２は、硬いことが好ましく、概して壁を交差して圧力が加えられた場合容易に圧縮されない。したがって、ポンピングのためにドームボタン６０８を作動させるには、柔軟なドームボタン６０８自体が例えば使用者の指によって明確に押されなければならない。結果として、ポンプ６００の操作はさらに特に望んだ場合にのみ行われるようになる。効率が向上されないままであっても完成組立品の溶着が少ないため、部品の統合形成によって、製造をより容易にかつ安価にすることができる。
【００６２】
図１７のポンプが２つの部品／４つの構成品構造を含んでいたとしても、貯蔵容器（図１７には示さず）の外に圧力が加えられた場合に、図１５のように漏れを防ぐ補助をするために出口ポート通路６０６の自動遮断を行うことができる。図１７において、貯蔵容器または袋の外側に圧力が加えられた場合、符号Ａの矢印によって示されるように、出口ポート通路６０６は、つぶれ、平らになり、かつ圧縮して閉じられる傾向にある。通路６０６にある任意の材料は、柔軟なドームハウジング６０８の空洞６２０に強制的に戻される。結果として偶発的なまたは意図しない圧力が貯蔵容器に加えられた場合、望まない漏れがさらに避けられる。
【００６３】
さらに、本発明のポンプ機構６００を装備した分配器からの望まない分配および漏れの防止を補助するために、図１７に見られるように再封止可能な封６２４を使用することができる。キャップ６２６は、流出経路６０６の下部６０４の自由端にちょうつがい式に接続されている。封６２４は、流出経路６０６の上部６１０の自由端のくぼみ６３０と解除可能にかみ合うスナップ嵌め突起６２８を含む。タブ６３２部材は、突起６２８のくぼみ６３０へのロックおよび解除を容易にする。ロッキング歯および切欠き装置６３４を固定に使用することが好ましい。また、ちょうつがい式に接続された突起６２８およびタブ６３２が流出経路６０６の上部６１０に配置され、くぼみ６３０が流出経路６０６の下部６０４に配置されるように、ロッキング突起６２８およびくぼみ６３０の位置を逆にすることができる。さらに輸送中に漏れを防ぐために、分配器が流出経路６０６を封止する封６２４と共に輸送されることが想定される。使用準備ができた場合に使用者は単純に封６２４開け、計量分配中に流出経路６０６を通じて液体を流すことができる。次に要求される使用時まで流出経路６０６を封じるために、封６２４を再び閉めることができる。
【００６４】
また密封機構６２４は、本発明の技術的範囲内にある使用可能な多くの異なるタイプの封のうちの単なる例であると理解されるべきである。さらに、図１７に示される最封止可能な封６２４は本発明の任意の実施形態に使用可能である。
【００６５】
他の実施形態のように、本発明の計量分配ポンプ機構６００を提供するために図１７の二つの部品構造は、例えば溶着などにて共に固定される。一体化したドームボタン６０８および流出経路６０６の上部６１０、および一体化したベースプレート６０２および流出経路６０６の下部６０４は、任意の適した材料、例えばプラスチックまたはエラストマー材料、およびそれらの組み合わせから作られることが可能である。一体化した構成品は、手元での利用に応じて硬く、または柔らかくすることができる。
【００６６】
前述の記載において、図１０−１７の実施形態は、容器または袋の分配器構成タイプにある液体３０２の制御された計量供給を提供することによく適しており、容器または袋は、例えばスタンドパウチ（ＳＵＰ）ガゼットパウチ、プリント済みパウチ、再密閉可能ジッパー付きパウチおよびパウチ、ならびに一種の剥ぎ取り式またはパンチ穴出口ポートを含む他の容器である。例えば、剥ぎ取り式出口ポートを有するハンドクリーナー分配器は、図１０−１７に示すポンプ構成に特によく適している。
【００６７】
通常、本発明は、広い範囲の粘性を扱うために以下のような方法により容易に変更可能なバルブ構造を含むことができる。例えば、１）通路４０６の幅を変更する、２）溶着跡を通じて逆流圧力を作る３）通路４０６の形を変更する、４）ベースプレート４１０を通じる流通開口部４１２の大きさおよび形を変更する、５）ドームハウジングのスタンドオフレグ４２２、およびベースプレート４１０下部のスタンドオフレグ４２４の大きさ、長さおよび形状を変更する、および６）一方向フラッパー弁４０８の大きさ、形、屈曲および形状を変更する、といったことである。また、自動遮断圧力を調整するためにバルブの位置を容易に変更することができる。
【００６８】
本発明の分配装置は、本発明の独自の計量投与機能を活用するために広い範囲の使用法を有する。事実上、任意のタイプのアプリケーター材またはアプリケーター材の組み合わせを有する異なる構成の任意の分配器にて、本発明を利用することができる。
【００６９】
例えば、清掃用製品およびパーソナルケア産業では、風呂用ジェルおよびシャワージェルの制御および計量分配において、特定の用途を有する。また、薬、化粧品、シャンプーのようなヘアケア製品、例えばローション、虫除けなどのスキンケア製品、および日焼け止め製品は、本発明を利用することができる。また、様々な日用品は本発明による装置によって供給することができる。これらは、家具の清掃および研磨、浴槽およびシャワーの清掃、床の清掃および研磨、窓の清掃、臭気除去、オーブンの清掃、洗濯、および衣類のケアなどのための製品を含む。また、空気処理装置は、本発明を利用することができる。清掃用製品は、例えば車、バイク、飛行機およびトラックのために制御された方法にて分配されることができる。分配装置は、特に液体またはジェル状の殺菌剤の個人での輸送および計量分配に適合している。食品産業は、特に調味料、スースおよびビタミンの分配のために多数の潜在的な用途がある。
【００７０】
さらに、装置の表面に流体材料２４を供給する位置は、所定の用途にあわせて容易に変更することができる。例えば、材料２４は、図１０および１１のように容器２０と同じ側に、または図１−３のように容器と逆側に供給することができる。容器２０および計量ハウジング２６に使用される材料は、柔軟なプラスチックが好ましいが、手元での利用のために適する任意の材料とすることができる。また、容器２０は計量ハウジング２６と異なる材料にて作られることができる。
【００７１】
要約すると、確実な計量投与量の流体材料２４を供給することができる新しく斬新な分配器が提供された。分配器１０は、大幅に改善された構造を有し、より効率的かつより有効な流体分配のために流体材料２４がアプリケーター材１２全体に均等に分配される。改善されたバルブ調節は、柔軟なドームハウジングまたは貯蔵容器袋本体に圧力が加えられた場合に偶発的なまたは不注意による液体の分配を防止する。また、ポンプを所定の用途により良く組み込むために、およびポンプおよびそれが取り付けられる分配器の製造および組み立てを簡素化するために、図１６および１７に見られるように、いくつかの構成品は、一体的に形成されることができる。
【００７２】
示された実施形態に対し、本発明の技術的範囲から逸脱することなく当業者によって多様な変更および改良がなされ得ることが理解されるだろう。すべてのこのような改良および変更は添付の特許請求の範囲に含まれることを意図する。
【符号の説明】
【００７３】
１０  分配装置
１２  アプリケーター
１４  スナップフィットカバー
１６  補充ポート
２０  容器本体
２２  流体貯蔵部
２４  流体材料
２６  計量ハウジング
２８  第一開口部
３０  一方向吸入バルブ
３２  計量室
３４  ベースプレート
３６  柔軟膜
３８  間隙
４０  排出バルブ
４２  流体導管
４４  出口ポート
４６  切欠き
４８  貫通開口部
５０  スタンドオフレグ
５２  バネ付勢機構
【図１】
2010524800.tif 000003
【図２】
2010524800.tif 000004
【図３】
2010524800.tif 000005
【図４】
2010524800.tif 000006
【図５】
2010524800.tif 000007
【図６】
2010524800.tif 000008
【図７】
2010524800.tif 000009
【図８】
2010524800.tif 000010
【図９】
2010524800.tif 000011
【図１０】
2010524800.tif 000012
【図１１ａ】
2010524800.tif 000013
【図１１ｂ】
2010524800.tif 000014
【図１２】
2010524800.tif 000015
【図１３】
2010524800.tif 000016
【図１４】
2010524800.tif 000017
【図１５】
2010524800.tif 000018
【図１６】
2010524800.tif 000019
【図１７】
2010524800.tif 000020
【国際調査報告】
2010524800.tif 000021